(57)【要約】部分的に相互接続されたネットワークは、複数のトポロジーノードを有し、各トポロジーノードは、他のトポロジーノードに接続された少なくとも３つの直接的なポイント対ポイントトポロジーリンクを有し、複数のトポロジーノードのある割合の各々は、ポイント・オブ・プレゼンス（ＰｏＰ）ユニットのグループの１つに接続される。このＰｏＰユニットのグループは、選択された１つ又は複数のサービスへのアクセスを与えるように構成され、ＰｏＰユニットのグループの１つに接続されない各トポロジーノードからの少なくとも３つの各直接的なポイント対ポイントトポロジーリンクの１つ以上は、ＰｏＰユニットのグループの１つに接続された複数のトポロジーノードの１つ以上に接続される。任意の２つのトポロジーノード間のルートには少なくとも１つの選択肢があり、そしてルートの選択肢は、別のトポロジーノードに直列に接続された２つのトポロジーリンクを通るものか、又は２つのトポロジーノード間の直接的なポイント対ポイントトポロジーリンクを通るものである。
2004523167.tif 000002
【特許請求の範囲】
【請求項１】
複数のトポロジーノードを有する部分的に相互接続されたネットワークであって、各トポロジーノードは、他のトポロジーノードに接続された少なくとも３つの直接的なポイント対ポイントトポロジーリンクを有し、複数のトポロジーノードのある割合の各々には、ポイント・オブ・プレゼンス（ＰｏＰ）ユニットのグループの１つが接続され、このＰｏＰユニットのグループは、選択された１つ又は複数のサービスへのアクセスを与えるように構成され、ＰｏＰユニットのグループの１つが接続されない各トポロジーノードからの少なくとも３つの各直接的なポイント対ポイントトポロジーリンクの１つ又は１つ以上は、ＰｏＰユニットのグループの１つが接続された複数のトポロジーノードの１つ又は１つ以上に接続され、任意の２つのトポロジーノード間のルートには少なくとも１つの選択肢があり、そしてルートの選択肢は、別のトポロジーノードに直列に接続された２つのトポロジーリンクを通るものか、又は２つのトポロジーノード間の直接的なポイント対ポイントトポロジーリンクを通るものであるネットワーク。
【請求項２】
上記複数のトポロジーノードの更に別の割合の各々には、更に別の選択された１つ又は複数のサービスへアクセスを与えるように構成されたＰｏＰユニットの更に別のグループの１つが接続され、ＰｏＰユニットの更に別のグループの１つが接続されない各トポロジーノードからの少なくとも３つの各直接的なポイント対ポイントトポロジーリンクの１つ又は１つ以上は、ＰｏＰユニットの更に別のグループの１つが接続された複数のトポロジーノードの１つ又は１つ以上に接続され、任意の２つのトポロジーノード間のルートには少なくとも１つの選択肢があり、そしてルートの選択肢は、別のトポロジーノードに直列に接続された２つのトポロジーリンクを通るものか、又は２つのトポロジーノード間の直接的なポイント対ポイントトポロジーリンクを通るものである請求項１に記載の部分的に相互接続されたネットワーク。
【請求項３】
ＰｏＰユニットの特定グループの１つが接続されない全てのトポロジーノードは、直接的なポイント対ポイントトポロジーリンクを経て、ＰｏＰユニットの上記特定グループの１つが接続された同数のトポロジーノードへ各々直接的に接続される請求項１又は２に記載の部分的に相互接続されたネットワーク。
【請求項４】
上記選択された１つ又は複数のサービス、或いは更に別の選択された１つ又は複数のサービスは、インターネットサービスプロバイダー（ＩＳＰ）、映像ソース、コールセンター、国際ネットワーク相互接続ポイント、更に別の相互接続ポイント、又はインテリジェントネットワークサーバーから選択され、これらは、いずれも、インテリジェントネットワークコール制御構成の助けでアクセスされる請求項１、２又は３に記載の部分的に相互接続されたネットワーク。
【発明の詳細な説明】
【技術分野】
【０００１】
本発明は、ネットワークトポロジーに係り、より詳細には、各メインノードを他のメインノードに接続するときに効果的である部分的に相互接続されたネットワーク構成体に係る。
【背景技術】
【０００２】
参考としてここに取り上げる特許出願第ＧＢ２３６３５４４Ａ号及び特許第ＧＢ２３５０５１７Ｂ号を参照する。
特許出願第ＧＢ２３６３５４４Ａ号には、少なくとも６個のトポロジーノードを有する部分的に相互接続されたトポロジーネットワークが開示されており、各トポロジーノードは、それを、全部ではないが幾つかのトポロジーノードに接続する少なくとも３つのポイント対ポイントトポロジーリンクを有し、任意の２つのトポロジーノード間のルートには少なくとも１つの選択肢があり、そしてルートの選択肢は、別のトポロジーノードに直列に接続された２つのポイント対ポイントトポロジーリンクを通るものか、又は２つのトポロジーノード間の直接的なポイント対ポイントトポロジーリンクを通るものである。トポロジーネットワークは、「強力な規則的グラフ」を適用しそしてある対称的な「バランス型不完全ブロックデザイン」を適用することにより構成される。
【０００３】
特許第ＧＢ２３５０５１７Ａ号には、複数の割り当てられたノードを備えた部分的に相互接続されたネットワークが開示されており、割り当てられたノードの各々は、多数のＡＲＥＡＳの１つに割り当てられ、更に、複数のＳＴＡＲノード（ＳＴＡＲ）を備えていると共に、割り当てられたノードとＳＴＡＲノードとの間にポイント対ポイント相互接続部も備え、割り当てられたノードが個々のＳＴＡＲに接続された状態のＡＲＥＡの数は、個々のＳＴＡＲからのＲＯＵＴＥの数を形成し、第１のＡＲＥＡの割り当てられたノードは、全部ではないが幾つかのＳＴＡＲノードより成るセットに接続され、更に別のＡＲＥＡは、各々ＳＴＡＲノードより成る更に別のセットに同様に接続され、異なるＡＲＥＡにおける２つの割り当てられたノード間には少なくとも１つの接続選択肢（ＣＨＯＩＣＥ）があり、そして接続ルートは、ＳＴＡＲノードにより直列に接続された２つのポイント対ポイント相互接続部を備えている。
【０００４】
同日に出願された特許出願第ＧＢ０１０２３４．８号を参照すれば、これには、複数の割り当てられたノードを備えた部分的に相互接続されたネットワークが開示されており、これら割り当てられたノードの各々は、多数のエリア（ＡＲＥＡ）の１つに割り当てられ、更に、複数のスターノード（ＳＴＡＲ）を備えていると共に、割り当てられたノードとスターノードとの間にポイント対ポイント相互接続部を備え、割り当てられたノードが個々のスターに接続された状態のＡＲＥＡの数は、個々のＳＴＡＲからのルート（ＲＯＵＴＥ）の数を形成し、複数のスターノードのある割合の各々には、ポイント・オブ・プレゼンス（ＰｏＰ）ユニットのグループの１つが接続され、上記ＰｏＰユニットのグループは、選択されたサービス（１つ又は複数）へのアクセスを与えるように構成され、第１のＡＲＥＡの割り当てられたノードは、全部ではないが幾つかのＳＴＡＲノードより成るセットに相互接続され、更に別のＡＲＥＡは、各々ＳＴＡＲノードより成る更に別のセットに同様に相互接続され、各割り当てられたノードからの直接的なポイント対ポイント相互接続部の１つ又は１つ以上は、ＰｏＰユニットのグループの１つが接続された複数のスターノードの１つ又は１つ以上に接続され、異なるＡＲＥＡにおける２つの割り当てられたノード間には少なくとも１つの相互接続選択肢（ＣＨＯＩＣＥ）があり、そして相互接続ルートは、ＳＴＡＲノードにより直列に接続された２つのポイント対ポイント相互接続部を備えている。
【発明の開示】
【発明が解決しようとする課題】
【０００５】
現在のネットワークは、「ポイント・オブ・プレゼンス」（ＰｏＰ）のネットワークの接続に向けられる。ＰｏＰとは、とりわけ、インターネットに接続するのに使用されるユニットである。多数のインターネットサービスプロバイダー（ＩＳＰ）は、英国では、９０％（又はそれ以上）の市内通話域で宣伝しており、これは、本来、全国にＰｏＰを有していて、市内電話通話のコストでアクセスできることを意味している。最近では、１つのネットワーク電話番号をダイヤルし、インテリジェントネットワークコール制御構成体を使用することにより、ネットワークは、利用可能な最も近い又は最もアクセスし易いＰｏＰを選択するように試みる。
【０００６】
本発明の場合に、ＰｏＰ又はコンテンツサーバーは、ＩＳＰ、ビデオサーバー、コールセンター、国際ネットワーク相互接続ポイント、更に別のネットワーク接続ポイントであり、これらは、加入者により実際にローカルで容易にアクセスされねばならないと意図されたインテリジェントネットワークコール制御構成及び同様の特徴の助けでアクセスすることができる。
【課題を解決するための手段】
【０００７】
本発明によれば、複数のトポロジーノードを有する部分的に相互接続されたネットワークであって、各トポロジーノードは、他のトポロジーノードに接続された少なくとも３つの直接的なポイント対ポイントトポロジーリンクを有し、複数のトポロジーノードのある割合の各々には、ポイント・オブ・プレゼンス（ＰｏＰ）ユニットのグループの１つが接続され、このＰｏＰユニットのグループは、選択された１つ又は複数のサービスへのアクセスを与えるように構成され、ＰｏＰユニットのグループの１つが接続されない各トポロジーノードからの少なくとも３つの各直接的なポイント対ポイントトポロジーリンクの１つ又は１つ以上は、ＰｏＰユニットのグループの１つが接続された複数のトポロジーノードの１つ又は１つ以上に接続され、任意の２つのトポロジーノード間のルートには少なくとも１つの選択肢があり、そしてルートの選択肢は、別のトポロジーノードに直列に接続された２つのトポロジーリンクを通るものか、又は２つのトポロジーノード間の直接的なポイント対ポイントトポロジーリンクを通るものであるネットワークが提供される。
【発明を実施するための最良の形態】
【０００８】
以下、添付図面を参照して、本発明を一例として詳細に説明する。
パターンの多数の分類が識別されているが、１つの特定分類についての多数の例を使用して、コアノードを一緒に接続するための幾つかの部分的に相互接続された当該ネットワークを説明する。というのは、それらは、必ずしも最も効率的ではないが、理解するのに最も単純なものだからである。
【０００９】
全メッシュを形成するように一緒に接続されたノードは、２段ネットワークとして分類され、それらは、負荷のバランス（ほぼ完全に負荷がかかったネットワークにおける）が著しく変化するときに容易なブロックとなることが良く知られている。又、リンクの数は、ノードの数をＮとすれば、Ｎ（Ｎ−１）／２に等しいので、若干大きなものとなる。
【００１０】
ネットワーク内の全てのノードが互いに接続されて全メッシュを形成するのではなく、あるノードが他のノードの幾つかだけに直接接続されると考えられる。その結果、発信ノードが直接接続されていない着信ノードへデータを通さねばならないときには、他のノードの１つを経由してデータを搬送しなければならない。しかしながら、映像中心のネットワークの場合に、適当な「規則的な部分的に相互接続されたネットワーク」トポロジーが使用されれば、別のノードを経由する必要がないようにトラフィックを構成できることが示される。
【００１１】
例えば、図１は、１６ノードのネットワークを示しており、各ノードは、他の１５個のノードのうち６個だけに接続されている。ノード１は、ノード２、３、４、５、９及び１３に直接接続される。又、このネットワークに対する接続テーブルも示されている。
ノード１が直接接続されていない９個のノードのいずれかに到達するには、他のノードの１つを経由することが必要となる。
【００１２】
図２は、ノード１からノード７に到達する２つの方法を示す。１つのルートは、ノード３を通過することによるものであり、そして他のルートは、ノード５を通過することによるものである。この場合に、１つの他のノードを経由する方法は、２つしかない。実際に、互いに直接接続されていない２つのノード間に進むときに単一ノードを経由する方法は、常に、２つしかない。この規則的特性は、主として、構造体の規則的な性質によるものである。
【００１３】
もちろん、時々、実際の状態において、ノード間の直接的なリンクが使用できないか又は過負荷状態になることがあり、別の方法が必要になる。
図３は、ノード１とノード４との間の直接的なリンクを強調している。ノード２又はノード３のいずれかを経由することにより、ノード１からノード４へ到達する２つの別の方法も強調されている。この場合も、このネットワークの規則的な性質により、直接接続されたあるノードから別のノードへ、１つの他のノードを経由するだけで到達する別の方法は、常に、２つしかない。
【００１４】
ノード１、２、３及び４は、ノード１、５、９及び１３と同様に、互いに各々直接接続されて、小さなメッシュを形成する。実際に、ネットワークには、このような小さなメッシュが８個ある。
図４は、８個のメッシュの各々を直線として示し、従って、図を簡単化している。これは、著しい混乱を招くことなく、より複雑な図を描けるようにする。各完全な水平線又は垂直線は、４つのノード間に６リンクの完全なメッシュを表わしている。
【００１５】
図５は、４つの付加的なメッシュ構造を各々表わす４本の余分な線（波状の線）が追加されたところを示している。各ノードは、ここでは、９個のノードに直接接続される。余分な接続を追加することにより、ルートがより選択し易くなった。ここでは、ノード１からノード７へノード２、３、５、６、１１及び１３を経由して到達する６つの選択肢があり、そしてノード１からノード４へ直接的なリンクに加えてノード２、３、５及び１６を経由して到達する４つの別の選択肢がある。各完全な水平線、垂直線又は波状の線は、４つのノード間の６リンクの完全メッシュを表わしている。
【００１６】
図６は、この説明で使用される選択肢を含む用語、及びそれに対応する数学的な用語、例えば、「The CRC Handbook of Combinatorial Design」、Ｃ．Ｊ．コロバーン及びＪ．Ｈ．ディニッツ（Ｅｄｓ．）著、ＣＲＣプレス、ボカ・ラトン、フロリダ、１９６６年、に使用されている用語を説明する。
１６は、完全な方形であり、そして２５のような同様の特性が他の完全な方形に適用される。
【００１７】
図７は、２５個のノードの各々が８個の他のノードに接続され、間接的な経路に対して２つの選択肢があり、そして直接接続されたノード間に全部で４つの選択肢があるところを示している。又、この図は、このネットワークに対する接続テーブルも示している。各完全な水平線又は垂直線は、５個のノード間の１０リンクの完全なメッシュを表わしている。
【００１８】
図８も、２５個のノードを示すが、ここでは、その各々が１２個の他のノードに接続され、間接的な経路に対して６個の選択肢があり、そして直接接続されたノード間に全部で６個の選択肢がある。又、この図は、このネットワークに対する接続テーブルも示している。各完全な水平線、垂直線又は波状の線は、５個のノード間の１０リンクの完全なメッシュを表わしている。
【００１９】
図９ａは、３６個のノードの各々が１０個の他のノードに接続され、間接的な経路に対して２つの選択肢があり、そして直接接続されたノード間に全部で５つの選択肢があるところを示している。図９ｂも、別の３６個のノードを示すが、ここでは、各ノードが１５個の他のノードに接続され、間接的な経路に対して６個の選択肢があり、そして直接接続されたノード間に全部で７個の選択肢がある。各完全な水平線、垂直線又は波状の線は、６個のノード間の１５リンクの完全なメッシュを表わしている。
【００２０】
図１０は、整数の平方をＮとすれば、Ｎの各値に対して少なくとも２つのパターンを描くことのできるある範囲の完全方形ネットワークの特性をリストしたものである。
種々の成長方法が試験され、その１つは、１行のノードを追加することによるものである。これは、最初、非常に単純であるが、１列の（Ｎ＋１）個のノードを追加したときに、間接的な経路の６つの選択肢を伴うパターンに対し幾つかの再接続（対角線の）が生じる。１行のＮ個のノード及び１列の（Ｎ＋１）このノードを追加すると、パターンは、次の完全方形アップとなり、成長プロセスを再びスタートできる。
【００２１】
完全方形パターンの規則的な性質により、映像を中心とする形式のアプリケーションに対してそれらの特性を更に利用することができる。図が著しく大きくならないように、２５ノードのネットワークを使用して以下に説明する。全てのノードにおいて全てのコンテンツを使用可能にすることは明らかに実際的でない。又、別のノードのコンテンツに到達するために別のノードを経由しなければならないことは望ましいことではない。
【００２２】
図１１は、５つのノード、即ちノード５、９、１３、１７及び２１のみにアタッチされたレプリカ「Ａ」コンテンツサーバーを示す。これら５つのノードの各々において同じコンテンツを直接使用することができる。線が小さな全メッシュを表わすことを想起されたい。従って、他の２０個のノード各々に対して、常に、丁度３個のレプリカ「Ａ」コンテンツサーバーへの直接的な経路がある。これは、レプリカ「Ａ」コンテンツサーバーを各々有するノード５、１７及び２１へ直接接続されたノード２に対して強調されている。レプリカコンテンツサーバーの更に別のセット（１つ又は複数）を追加することができる。
【００２３】
図１２は、ノード３、７、１１、２０及び２４にアタッチされたコンテンツサーバーの第２セット、即ちレプリカ「Ｂ」を示している。コンテンツサーバーのレプリカセットを、部分的に相互接続されたネットワークに相補的なやり方でアタッチすることにより、ある非常に有効な構造体を得ることができる。
【００２４】
部分的に相互接続されたネットワークを使用することにより、ルートの選択肢が慎重に制限される。これは、効果的である。というのは、別のルートがあまりに多数あると、細いルートとなり、送信システムが多いほど、使用するスイッチポートが多くなり、そして経路の追跡時間が長くなるからである。規則的な部分的に相互接続されたネットワークは、特に、ある装置が使用できないためにカバーするのに必要な余計な容量を許すときに、大きさを決めるのが非常に容易である。リンク又はノードの損失は、シミュレーションが非常に容易であり、その作用は、特に、全てのリンクが同様の特性を有する場合には、どのリンクが失われるかに関わりなく、ほとんど同じである。欠陥又は異常事象が生じたときには、余計な負荷を残りのノードにわたって広く且つ極めて均一に拡散する作用は、規則的な部分的に相互接続されたネットワークの魅力ある特徴である。適当な経路選択アルゴリズムは、過負荷リンクのおそれを最小にするように選択される。
【００２５】
図１３は、コンテンツサーバーの３つのＰｏＰしかもたない５ｘ５ノードネットワークにおいて全てのノードをカバーできることを示している。
ＰｏＰをもたない４つのノードは、ＰｏＰをもつ３つのノードに直接接続される。
ＰｏＰをもたない６つのノードは、ＰｏＰをもつ２つのノードに直接接続される。
ＰｏＰをもたない１２のノードは、ＰｏＰをもつ１つのノードに直接接続される。
【００２６】
どのノードがどのＰｏＰ（１つ又は複数）に接続されるか指示するために、各ノードは、ノード１１ではコンテンツサーバーＸ、ノード３ではコンテンツサーバーＹ、又はノード１９ではコンテンツサーバーＺの位置において、その周囲に適宜に指示子を有する。この構成は、接続の規則的な分布を与えるものではなく、欠陥や過負荷状態に対して非常に低い効率を与えるものである。この例では、ノードが１２個の他のノードに接続されている。ノードが８個の他のノードのみに接続された図７では、コンテントサーバーをもたない全てのノードに、コンテンツサーバーをもつノードへのアクセスを与えるために、５個のコンテンツサーバーの全対角線が必要とされる。
【００２７】
図１４は、図１２の書き直しバージョンであり、コンテンツサーバーは、水平のグループに配置されるが、２５個のノードの番号は、同じ位置にあり、その結果、メッシュを表わす線は若干混乱している。
図１５は、入力をもたずに５ｘ５の５つのブロックを有する図１４に対応するテーブルを示す。これは、コンテンツサーバーのグループがそれらの間に直接的な接続を必要としないからである。従って、このネットワーク構造体の１つの効果は、このような接続が存在しないことである。コンテンツサーバーのグループは、水平に配置される。コンテンツサーバーのグループのホストであるノード間には直接的な接続がない。
【００２８】
上述した部分的に相互接続されたネットワークの規則的な性質から生じる別の可能性は、全ネットワークが多数の小さなメッシュネットワークから構造されるという事実を利用することである。送信リングを、小さなメッシュネットワークを形成する手段として使用することができる。例えば、６つの波長を搬送する４ノードリングは、４つのノード間に全メッシュを形成するのに使用できる。
図１６は、それ以前の幾つかの図に非常に似ているが、８個の簡単な送信リングから構成できることを強調するために描かれたものである。リングは、次の通りである。
１、２、３、４；
５、６、７、８；
９、１０、１１、１２；
１３、１４、１５、１６；
１、５、９、１３；
２、６、１０、１４；
３、７、１１、１５；
４、８、１２、１６。
【００２９】
ここに述べる全ての部分的に相互接続されたネットワークは、リングの限界を越えなければ、このように構成することができる。大きな１００ノードネットワークは、各々１０ノードで且つ４５波長である３０個のリングを必要とする（ＷＤＭを使用する場合）。
完全な方形をベースとしない他のネットワーク形式も使用できる。
図１７は、１０ノードネットワークを示し、各ノードは、他のノードの６個に接続される。ノード５、６、７及び２は、４ノードの他の４つのグループと同様に、小さなメッシュとして一緒に接続される。
【００３０】
図１８は、図１７と同じであるが、５個の小さなメッシュの各々が線として示されている。このネットワークは、交差線ネットワークとして説明することができる。
図１９は、図１８と同様であるが、各々メッシュを表わす線は、５本ではなく、７本である。接続テーブルも示されている。
図１９は、ノード１、２、３、４、５、６及び７にアタッチされるコンテンツサーバーのグループをもつことができる。その結果、全ての他の１４個のノードは、直接的な接続を経てこれらコンテンツサーバーの４つにアクセスすることができる。他のグループは、ノード８、９、１０、１１、１２、１３及び１４並びにノード１５、１６、１７、１８、１９、２０及び２１にアタッチすることができる。完全方形ネットワークとは異なり、交差線ネットワークでは、同じグループのコンテンツサーバーをもつノード間に幾つかの直接的な接続がある。
【００３１】
図２０は、μ＝４の交差線に基づく多数の選択肢ＳＲＧを伴う小さな交差線ネットワークをリストしたものである。
強力な規則的グラフ（ＳＲＧ）は、多数のノードをもつ部分的に相互接続されたネットワークに対する接続パターンを定義するのに適した方法である。ＰｏＰを規則的にアタッチすることができると知られている更に別の多数の選択肢ＳＲＧが図２１にリストされている。
【図面の簡単な説明】
【００３２】
【図１】基本的なネットワークを示す図である。
【図２】別の基本的なネットワークを示す図である。
【図３】更に別の基本的なネットワークを示す図である。
【図４】更に別の基本的なネットワークを示す図である。
【図５】更に別の基本的なネットワークを示す図である。
【図６】ここで並びに種々の数学の本及び論文で使用される用語を示す図である。
【図７】更に別のネットワークを示す図である。
【図８】更に別のネットワークを示す図である。
【図９】更に別のネットワークを示す図である。
【図１０】ある範囲の方形ネットワークをリストした図である。
【図１１】コンテンツサーバーのグループが実施されたネットワークを示す図である。
【図１２】コンテンツサーバーの２つのグループが実施されたネットワークを示す図である。
【図１３】コンテンツサーバーの数が減少されたが、全てのノードに対して依然カバーを与えているネットワークを示す図である。
【図１４】図１２の書き直しバージョンである。
【図１５】図１４に対応するテーブルである。
【図１６】多数の簡単な送信リングを使用して構成されたときの上記図のあるものを示す。
【図１７】１０ノードネットワークを示す図である。
【図１８】図１７の書き直しバージョンである。
【図１９】図１８と同様の図である。
【図２０】小さな交差線ネットワークをリストした図である。
【図２１】幾つかの「強力な規則的グラフ」をリストした図である。
【図１】
2004523167.tif 000003
【図２】
2004523167.tif 000004
【図３】
2004523167.tif 000005
【図４】
2004523167.tif 000006
【図５】
2004523167.tif 000007
【図６】
2004523167.tif 000008
【図７】
2004523167.tif 000009
【図８】
2004523167.tif 000010
【図１０】
2004523167.tif 000011
【図１１】
2004523167.tif 000012
【図１２】
2004523167.tif 000013
【図１３】
2004523167.tif 000014
【図１５】
2004523167.tif 000015
【図１７】
2004523167.tif 000016
【図１８】
2004523167.tif 000017
【図１９】
2004523167.tif 000018
【図２０】
2004523167.tif 000019
【図２１】
2004523167.tif 000020
【国際公開パンフレット】
2004523167.tif 000021
2004523167.tif 000022
2004523167.tif 000023
2004523167.tif 000024
2004523167.tif 000025
2004523167.tif 000026
2004523167.tif 000027
2004523167.tif 000028
2004523167.tif 000029
2004523167.tif 000030
2004523167.tif 000031
2004523167.tif 000032
2004523167.tif 000033
2004523167.tif 000034
2004523167.tif 000035
2004523167.tif 000036
2004523167.tif 000037
2004523167.tif 000038
2004523167.tif 000039
2004523167.tif 000040
2004523167.tif 000041
2004523167.tif 000042
2004523167.tif 000043
2004523167.tif 000044
2004523167.tif 000045
2004523167.tif 000046
2004523167.tif 000047
2004523167.tif 000048
2004523167.tif 000049
2004523167.tif 000050
2004523167.tif 000051
2004523167.tif 000052
2004523167.tif 000053
2004523167.tif 000054
2004523167.tif 000055
2004523167.tif 000056
2004523167.tif 000057
【国際調査報告】
2004523167.tif 000058
2004523167.tif 000059